(57)【要約】【課題】たとえ、検査の途中で自動穿刺機能が必要になっても穿刺針装置を取り替える必要がなく、自動穿刺機能を持たない穿刺針装置に対して自動穿刺機能を付与することができ、作業性を大きく向上すると共に、コスト的にも有利となる。【解決手段】手動で巧く目的部位に穿刺ができない場合、自動穿刺アダプタ４０を、穿刺針装置３０に取り付け検査、穿刺を継続する。自動穿刺アダプタ４０は、シリンダ４１と、シリンダ４１により作動するピストン４２と、ピストン４２をシリンダ４１内に格納する方向に常時付勢するコイルスプリング４３を備える。シリンダ４１は、操作部本体３４に固定自在な操作部本体把持部４５が一体形成され、側面にはピストン端部４６の突起部４６ａをガイド自在なガイド溝４７が形成される。ピストン４２の側面には、スライダ３５の中途部を把持自在なスライダ把持部４９が一体形成される。【選択図】図６
2006000228.tif 000002
【特許請求の範囲】
【請求項１】
内視鏡に設けたチャンネル内に挿通するシースと、
上記シース内に挿通して該シースの先端から先端部が突没自在な針管と、
上記シースの基端側を支持する操作部本体と、
上記操作部本体に対してスライド自在に配設し、上記針管を支持して該針管と共に移動自在なスライダと、
上記操作部本体に選択的に固定自在な第１の固定手段と、
上記スライダに選択的に固定自在な第２の固定手段と、
少なくとも上記第１の固定手段を上記操作部本体に固定し、上記第２の固定手段を上記スライダに固定した状態で、上記針管が上記シースの先端から突出する方向に上記第１の固定手段と上記第２の固定手段とを相対的に付勢する付勢手段と、
上記付勢手段による上記第１の固定手段と上記第２の固定手段との相対的な移動の実行と抑制とを行うトリガー手段とを備えたことを特徴とする内視鏡用穿刺針装置。
【請求項２】
上記トリガー手段は、上記シースの先端から突出する上記針管の長さを選択的に設定自在であることを特徴とする請求項１記載の内視鏡用穿刺針装置。
【請求項３】
上記第１の固定手段は、シリンダと、該シリンダに設けた上記操作部本体を選択的に把持自在な操作部本体把持部とを有し、上記第２の固定手段は、上記シリンダにより作動するピストンと、上記シリンダの外側に露呈する上記ピストンの軸端部に連結した上記スライダを選択的に把持自在なスライダ把持部とを有し、上記付勢手段を上記シリンダ内に設けたことを特徴とする請求項１又は請求項２に記載の内視鏡用穿刺針装置。
【請求項４】
上記第１の固定手段は、上記操作部本体を選択的に把持自在な操作部本体把持部を有し、上記第２の固定手段は、板部材に、上記操作部本体把持部をスライド自在に支持するガイド軸部と、上記スライダを選択的に把持自在なスライダ把持部を先端に固定した把持部固定軸部とを有し、上記付勢手段を上記ガイド軸部の外周の上記板部材と上記操作部本体把持部との間に設けたことを特徴とする請求項１又は請求項２に記載の内視鏡用穿刺針装置。
【請求項５】
上記付勢手段は、トーションばねの先端を交差して形成し、該トーションばねの一端に上記操作部本体を選択的に把持自在な操作部本体把持部を有する上記第１の固定手段を設け、上記トーションばねの他端に上記スライダを選択的に把持自在なスライダ把持部を有する上記第２の固定手段を設けたことを特徴とする請求項１又は請求項２に記載の内視鏡用穿刺針装置。
【請求項６】
上記操作部本体把持部と上記スライダ把持部の少なくともどちらかは、把持する対象の形状に応じて変更自在であることを特徴とする請求項３乃至請求項５の何れか一つに記載の内視鏡用穿刺針装置。
【発明の詳細な説明】
【技術分野】
【０００１】
本発明は、特に超音波内視鏡の処置具チャンネル内に挿通し、チャンネル入口部に固定して使用する内視鏡用穿刺針装置に関する。
【背景技術】
【０００２】
従来より、体腔内の患部を検査診断するため、超音波内視鏡により体腔内を観察しながら、穿刺針装置を用いて胃や十二指腸の消化管壁等から、膵臓、肝臓、腎臓等の深部臓器の目的部位に穿刺針を穿刺し、体腔内組織や体液を採取することが行われている。
【０００３】
このような超音波内視鏡に用いられる穿刺針装置として、例えば、特開２００３−１９０１７９号公報に、超音波内視鏡の挿通チャンネルに進退自在に挿通されるシースと、シースの基端部に位置する把持部を兼ねる操作部と、シース内を挿通して体腔内組織に穿刺される針管とを備える超音波内視鏡用の穿刺針装置が開示されている。この穿刺針装置では、穿刺針の刺入動作を手動で行っているが、観察部位である体組織が比較的硬い場合や逃げやすい場合等では、穿刺針の先端が刺さり難くかった。
【０００４】
このように、穿刺し難い観察部位に対して穿刺を行う場合には、穿刺針の刺入動作を高速にすることで、穿刺が可能になることが知られている。しかし、手動操作によって穿刺針を高速に突出させて目的部位に正確に穿刺針を刺入することは困難な作業であった。
【０００５】
そこで、この問題を改善するため、例えば、特開２００１−２７５９４７号公報に開示されるように、穿刺針装置に、ばね等の付勢部材を組み込み、穿刺針の刺入動作をこのばねの付勢力で行うものが提案されている。
【特許文献１】特開２００３−１９０１７９号公報
【特許文献２】特開２００１−２７５９４７号公報
【発明の開示】
【発明が解決しようとする課題】
【０００６】
しかしながら、上述の特許文献２に開示される自動穿刺機能を有する穿刺針装置では、穿刺針をばねの付勢力に抗して所定位置に係止させる係止機構や、術者の意図するタイミングで係止状態を解除させて刺入動作させる穿刺スイッチ等が、穿刺針装置の操作部に設けられているため、重量が重く、また、多少大型になることから、操作性に劣るという問題がある。また、価格も高価になっている。
【０００７】
従って、まず、上述の特許文献１で開示されるような、自動穿刺機能を持たない穿刺針装置で検査を行い、この穿刺針装置でうまく刺入できない場合に、自動穿刺機能を持たない穿刺針装置を自動穿刺機能を有する穿刺針装置に取り替えて穿刺することが一般に行われている。しかし、この場合、自動穿刺機能を持たない穿刺針装置を自動穿刺機能を有する穿刺針装置に取り替えるという作業が面倒であり、また、結局、自動穿刺機能を有する穿刺針装置を準備しておかなければならないず、コスト的にも好ましくない。
【０００８】
本発明は上記事情に鑑みてなされたもので、たとえ、検査の途中で自動穿刺機能が必要になっても穿刺針装置を取り替える必要がなく、自動穿刺機能を持たない穿刺針装置に対して自動穿刺機能を付与することができ、作業性を大きく向上すると共に、コスト的にも有利となる内視鏡用穿刺針装置を提供することを目的とする。
【課題を解決するための手段】
【０００９】
本発明は、内視鏡に設けたチャンネル内に挿通するシースと、上記シース内に挿通して該シースの先端から先端部が突没自在な針管と、上記シースの基端側を支持する操作部本体と、上記操作部本体に対してスライド自在に配設し、上記針管を支持して該針管と共に移動自在なスライダと、上記操作部本体に選択的に固定自在な第１の固定手段と、上記スライダに選択的に固定自在な第２の固定手段と、少なくとも上記第１の固定手段を上記操作部本体に固定し、上記第２の固定手段を上記スライダに固定した状態で、上記針管が上記シースの先端から突出する方向に上記第１の固定手段と上記第２の固定手段とを相対的に付勢する付勢手段と、上記付勢手段による上記第１の固定手段と上記第２の固定手段との相対的な移動の実行と抑制とを行うトリガー手段とを備えたことを特徴としている。
【発明の効果】
【００１０】
本発明による内視鏡用穿刺針装置は、たとえ、検査の途中で自動穿刺機能が必要になっても穿刺針装置を取り替える必要がなく、自動穿刺機能を持たない穿刺針装置に対して自動穿刺機能を付与することができ、作業性を大きく向上すると共に、コスト的にも有利となる。
【発明を実施するための最良の形態】
【００１１】
以下、図面に基づいて本発明の実施の形態を説明する。  
図１〜図７は本発明の実施の第１形態を示し、図１は穿刺針装置を取り付けた超音波内視鏡の概略構成図、図２は超音波内視鏡の先端部の構成を説明する斜視図、図３は穿刺針装置の全体構成を説明する断面図、図４は穿刺針装置に自動穿刺アダプタを取り付ける斜視図、図５は自動穿刺アダプタを備えた穿刺針装置を取り付けた超音波内視鏡の概略構成図、図６は自動穿刺前の自動穿刺アダプタ内部の構成を説明する断面図、図７は自動穿刺後の自動穿刺アダプタ内部の構成を説明する断面図である。
【００１２】
尚、本実施の第１形態では、穿刺針装置は、まず、自動穿刺アダプタ（後述する）を取り付けない状態、すなわち、手動にて穿刺するため、自動穿刺アダプタの無い状態での構成を説明する。
【００１３】
図１において、符号１は超音波内視鏡を示し、この超音波内視鏡１は、体腔内に挿入される細長で可撓性を有する挿入部２と、挿入部２の基端に位置する操作部３と、操作部３の側部から延出するユニバーサルコード４と、ユニバーサルコード４の基端部に設けられ図示しない光源装置に接続される内視鏡コネクタ５と、内視鏡コネクタ５近傍から延出する超音波ケーブル６と、超音波ケーブル６の基端部に設けられ図示しない超音波観測装置に接続される超音波コネクタ７とで主要に構成されている。
【００１４】
挿入部２は、先端側から順に、硬質な樹脂部材で形成した先端硬質部８と、先端硬質部８の後端に位置する湾曲自在な湾曲部９と、湾曲部９の後端に位置して操作部３の先端部に至る細径かつ長尺で可撓性を有する可撓部１０とを連設して構成されている。尚、先端硬質部８の材質としては、耐薬品性や生体適合性が良好なポリスルフォン等が用いられる。
【００１５】
操作部３には湾曲部９を所望の方向に湾曲制御するためののアングルノブ１１と、送気及び送水操作を行うための送気・送水ボタン１２、吸引操作を行うための吸引ボタン１３が設けられている。
【００１６】
また、操作部３の先端部側には、鉗子や穿刺針装置３０等の処置具を体腔内の目的部位に挿入するための処置具挿入口１５が設けられており、この処置具挿入口１５からは挿入部２内に処置具挿通用チャンネル１６（図２参照）が形成されている。
【００１７】
処置具挿入口１５を介してこの処置具挿通用チャンネル１６を挿通された穿刺針装置３０等の処置具は、図２に示すように、先端硬質部８に設けられた処置具挿通用チャンネル１６の先端開口壁１７に形成した先端開口１８から突出される。
【００１８】
処置具挿通用チャンネル１６の先端開口１８近傍には鉗子起上台１９が揺動自在に設けられており、操作部３に設けられた鉗子起上レバー（図示せず）により操作可能となっている。鉗子起上レバーを操作することにより鉗子起上台１９が揺動して先端開口１８から突出した組織吸引するための穿刺針装置３０等の処置具が後述の超音波走査面α内を移動される。
【００１９】
図２に示すように、先端硬質部８の先端側には、超音波を送受する複数の圧電素子（図示せず）を配列して構成したコンベックス型の超音波振動子２０が、先端硬質部８に接続されており、挿入部２の長手軸方向に対して平行でかつ矢印で示す扇形の範囲に、例えば約１８０度の走査範囲を持つ超音波走査面αを有している。
【００２０】
この超音波走査範囲は、処置具挿通用チャンネル１６の先端開口１８近傍まで設定されているが、この超音波走査範囲には、先端硬質部８が含まれないように設定されている。また、処置具挿通用チャンネル１６の先端開口１８近傍は、処置具挿通用チャンネル１６の中心軸が超音波走査面αの延長面に含まれるように形成されている。
【００２１】
先端硬質部８の先端斜面部２１には、照明光学系を構成する照明レンズカバー２２や観察光学系を構成する観察用レンズカバー２３、送気・送水ノズル２４が設けられている。
【００２２】
そして、図３に示すように、穿刺針装置３０は、処置具挿通用チャンネル１６内に挿入されるシース３１と、シース３１内に進退自在に挿通配置される、先端部が鋭利な形状に形成された細長で薄肉の、例えばステンレスパイプで形成された針管３２と、処置具挿入口１５に固定自在な中空のシリンダ３３と、シース３１の基端部が固定され、シリンダ３３内で進退自在な中空の操作部本体３４と、針管３２の基端部が脱着自在に固定され、操作部本体３４内で進退自在な中空のスライダ３５とを備えて主要に構成されている。尚、針管３２内には先端が鋭利な形状のスタイレット３６が挿脱自在に配設される。
【００２３】
シリンダ３３は、先端部に、処置具挿入口１５の図示しない口金に螺合されるネジ部３３ａが設けられており、このネジ部３３ａを処置具挿入口１５の口金と螺合することにより、シリンダ３３が処置具挿入口１５に固定自在となっている。
【００２４】
また、シリンダ３３は、操作部本体３４と連結した後述するつまみ３７の締結ネジ３７ａの移動をガイドする細長のガイド溝３３ｂが形成されている。
【００２５】
操作部本体３４は、先端がシース連結部材３８を介してシース３１と連結されている。また、操作部本体３４は、先端側の側面に、シリンダ３３の外側にガイド溝３３ｂから突出するつまみ３７が締結ネジ３７ａにより設けられている。従って、つまみ３７を回転して締め付けることにより、シリンダ３３と操作部本体３４との相対的な移動が規制自在となっている。逆に、つまみ３７を回転して緩めることにより、シリンダ３３と操作部本体３４との相対的な進退移動が可能となり、操作部本体３４がシリンダ３３に対して進退され、処置具挿通用チャンネル１６の先端開口１８からのシース３１の突出長さが選択的に設定自在となっている。
【００２６】
操作部本体３４内で進退自在な中空のスライダ３５は、後端に、針管３２の基端と連結した針口金３２ａの先端部と着脱自在な針連結用口金３５ａが設けられている。
【００２７】
また、針管３２の針口金３２ａの後端は、スタイレット３６の基端と連結したスタイレット口金３６ａが、着脱自在に設けられている。
【００２８】
このように構成される自動穿刺機能の無い穿刺針装置３０では、以下のように検査を進める。  
まず、超音波内視鏡１の挿入部２の先端硬質部８を目的部位近傍に対向するように挿入配置し、この状態で、超音波内視鏡１の処置具挿入口１５より、穿刺針装置３０の針管３２が収納状態になっているシース３１を処置具挿通用チャンネル１６内に導入していく。そして、シリンダ３３のネジ部３３ａを処置具挿入口１５の口金と螺合することにより、シリンダ３３を処置具挿入口１５に固定する。尚、このシース３１を挿入していく状態では、つまみ３７はシリンダ３３の基端側に、また、スライダ３５は操作部本体３４から最も突出した位置に固定して行う。このため、シース３１の先端は、処置具挿通用チャンネル１６の先端開口１８からは突出せずに僅か後方に、また、針管３２の先端は、シース３１の先端からは突出せずに僅か後方に格納された状態で位置される。
【００２９】
次に、超音波内視鏡１の超音波画像の観察下において、つまみ３７を緩め、このつまみ３７を、シリンダ３３のガイド溝３３ｂに沿って先端側に移動させる。この動作により、操作部本体３４がシリンダ３３に対して先端側に移動され、シース３１の先端が処置具挿通用チャンネル１６の先端開口１８から突出されて目的観察部位の体腔壁近くに配置される。このシース３１の突出が完了したら、つまみ３７を締め込み、シリンダ３３と操作部本体３４とを固定する。
【００３０】
その後、スライダ３５を先端に向けて、手動で高速に突出させる。この際、巧く目的部位に穿刺ができた場合は、スタイレット口金３６ａと共にスタイレット３６を針口金３２ａから引き抜き、その後、針口金３２ａに図示しないシリンジ等を接続して体腔内組織の吸引を行う。この吸引により、針管３２内へ体腔内組織が入り込む。
【００３１】
その後、再び、スライダ３５を操作部本体３４の基端側にスライドし、針管３２をシース３１内に収納し、超音波内視鏡１の処置具挿入口１５と穿刺針装置３０の連結を解いて、超音波内視鏡１の処置具挿通用チャンネル１６からシース３１を引き抜く。そして、針管３２内に吸引された体腔内組織をプレパラート等に取り出し、検査することにより深部組織部位の生検が達成される。
【００３２】
一方、スライダ３５を先端に向けて、手動で高速に突出させても、巧く目的部位に穿刺ができない場合は、以下説明する自動穿刺アダプタ４０を、図４に示すように、穿刺針装置３０に取り付けて検査、すなわち、穿刺を継続する。尚、図５は自動穿刺アダプタ４０を穿刺針装置３０に取り付けた状態の超音波内視鏡１である。
【００３３】
すなわち、図４〜図７に示すように、自動穿刺アダプタ４０は、穿刺針装置３０の操作部本体３４と並設されるシリンダ４１と、このシリンダ４１により作動するピストン４２と、ピストン４２をシリンダ４１内に格納する方向に常時付勢するコイルスプリング４３を備えて主要に構成されている。
【００３４】
シリンダ４１の側面には、穿刺針装置３０の操作部本体３４の基端側端部と、つまみ付固定ネジ４４により固定自在な操作部本体把持部４５が一体形成されている。
【００３５】
また、シリンダ４１のピストン４２が突出する側とは逆の端面は、内側にピストン端部４６が突き当てられるように閉塞して形成されている。
【００３６】
更に、シリンダ４１の側面には、ピストン端部４６の側面に設けた突起部４６ａをガイド自在なガイド溝４７が形成されている。
【００３７】
このガイド溝４７は、ピストン端部４６の突起部４６ａを進退ガイドするための進退溝４７ａと、この進退溝４７ａから略直角に形成して端部にて突起部４６ａを係止する複数の係止溝４７ｂとから形成されており、係止溝４７ｂは、ピストン４２を突出させる寸法毎に、例えば、１５mm、２０mm、２５mm、３０mmの位置に形成されている。尚、寸法は、これらの寸法に限定するものではない。そして、それぞれの係止溝４７ｂの近傍には、その係止溝４７ｂにより突出されるピストン４２の寸法が刻設されている。
【００３８】
ピストン４２は、シリンダ４１内に格納される端部に上述のピストン端部４６が一体的に設けられており、シリンダ４１から露呈する他端側には、ピストン４２を外側に引き出す際の利便性を考慮したリング状のピストンつまみ４８が設けられている。
【００３９】
また、ピストン４２のピストンつまみ４８側の側面には、穿刺針装置３０のスライダ３５の中途部に向けて略直角に延出されて、このスライダ３５の中途部を弾性力により強固に把持自在なスライダ把持部４９が一体形成されている。
【００４０】
こうして、本実施の第１形態では、シリンダ４１、及び、操作部本体把持部４５で第１の固定手段が構成され、ピストン４２、及び、スライダ把持部４９で第２の固定手段が構成され、コイルスプリング４３で付勢手段が構成され、ピストン端部４６、ガイド溝４７、及び、ピストンつまみ４８でトリガー手段が構成されている。
【００４１】
このように構成される自動穿刺アダプタ４０を使用するには、まず、シース３１の先端から針管３２の先端を突出して自動穿刺させる寸法を決め、ピストンつまみ４８を引き、進退溝４７ａに沿って、ピストン端部４６の突起部４６ａを移動させる。
【００４２】
そして、自動穿刺させる寸法に最も近い係止溝４７ｂのところでピストンつまみ４８を回動し、ピストン端部４６を回動させ、ピストン端部４６の突起部４６ａをその係止溝４７ｂに通過させ、突起部４６ａを係止させておく。
【００４３】
この状態で、自動穿刺アダプタ４０の操作部本体把持部４５を操作部本体３４につまみ付固定ネジ４４により確実に固定し、また、スライダ把持部４９をスライダ３５の中途部に確実に固定する（図６の状態）。
【００４４】
そして、自動穿刺するには、ピストンつまみ４８を回転させ、ピストン端部４６の突起部４６ａを係止溝４７ｂから進退溝４７ａに移動させる。これにより、コイルスプリング４３の付勢力によりピストン４２が移動され、スライダ３５も移動されて自動穿刺が実行される（穿刺完了の状態を図７に示す）。
【００４５】
こうして、目的部位に穿刺ができた後は、自動穿刺アダプタ４０を取り外し、或いは、そのまま、前述した穿刺後の検査処理を行う。
【００４６】
このように、本発明の実施の第１形態によれば、自動穿刺機能を持たない穿刺針装置３０に対し、簡単で小型の自動穿刺アダプタ４０を取り付けることにより自動穿刺機能を付与できるので、予め、自動穿刺機能を有する穿刺針装置を用意することも必要がなくコスト的に大変有利となる。
【００４７】
また、自動穿刺アダプタ４０は、シリンダ−ピストン構造という、簡単で小型な構成で実現できるため、コストも安く、動作も確実で信頼性も高い。
【００４８】
更に、自動穿刺する長さは、ピストン端部４６、ガイド溝４７により選択的に設定できるので、検査における汎用性、利便性も高い。
【００４９】
また、自動穿刺機能を持たない穿刺針装置３０に自動穿刺機能を付与する際には、穿刺針装置３０を交換する等の作業が不要なため、検査の作業性を大幅に向上でき、検査も短時間で完了することが可能となる。
【００５０】
次に、図８乃至図１０は本発明の実施の第２形態を示し、図８は穿刺針装置に自動穿刺アダプタを取り付ける斜視図、図９は把持部固定軸部の部分拡大図、図１０は突出長さ設定板の動作説明図である。尚、本実施の第２形態は、自動穿刺アダプタの構成が前記第１形態の構成と異なり、従って、自動穿刺アダプタの構成のみ新たな符号を記し説明する。
【００５１】
すなわち、図８において、符号６０は自動穿刺アダプタを示し、この自動穿刺アダプタ６０は、操作部本体３４を選択的に把持自在な操作部本体把持部６１と、スライダ３５を選択的に把持自在なスライダ把持部６２と、操作部本体把持部６１をスライド自在に支持するガイド軸部６３と、操作部本体把持部６１を挿通して、先端側にスライダ把持部６２を固定した把持部固定軸部６４と、ガイド軸部６３と把持部固定軸部６４の端部を固定する板部材６５と、ガイド軸部６３の外周の操作部本体把持部６１と板部材６５との間に設けたコイルスプリング６６とを備えて主要に構成されている。
【００５２】
操作部本体把持部６１は、平板の直方体形状に形成され、一端が穿刺針装置３０の操作部本体３４の基端側端部を把持自在に形成されている。そして、他端側にはガイド軸部６３が挿通される孔部６１ａが形成され、中央には把持部固定軸部６４を挿通する開口部６１ｂが形成されている。
【００５３】
操作部本体把持部６１の開口部６１ｂが設けられている部位の側面には、突出長さ設定板６７を挿通する挿通口６１ｃが設けられている。
【００５４】
突出長さ設定板６７は、図１０に示すように、平板状に形成され、中央に、把持部固定軸部６４の外径を挿通可能な太経の長孔６７ａが形成されており、この長孔６７ａの端部から連続して、把持部固定軸部６４に複数刻設される寸法決め用切り欠き部６４ａ（図９参照）の括れに係入自在な細径の長孔６７ｂが形成されている。また、突出長さ設定板６７の両端には、操作部本体把持部６１から外れることを防止する為に一対の対向する板６７ｃ，６７ｃが設けられている。
【００５５】
従って、本実施の第２形態による自動穿刺アダプタ６０は、操作部本体把持部６１で第１の固定手段が構成され、スライダ把持部６２、ガイド軸部６３、把持部固定軸部６４、及び、板部材６５で第２の固定手段が構成され、コイルスプリング６６で付勢手段が構成され、把持部固定軸部６４の寸法決め用切り欠き部６４ａと突出長さ設定板６７でトリガー手段が構成されている。
【００５６】
このように構成される自動穿刺アダプタ６０を使用するには、まず、シース３１の先端から針管３２の先端を突出して自動穿刺させる寸法を決め、操作部本体把持部６１と板部材６５との距離を接近させ、スライダ把持部６２を操作部本体把持部６１から離間させる。
【００５７】
そして、自動穿刺させる寸法に最も近い把持部固定軸部６４の寸法決め用切り欠き部６４ａのところで突出長さ設定板６７を引き出し、この寸法決め用切り欠き部６４ａに突出長さ設定板６７の細径の長孔６７ｂを通過させ、スライダ把持部６２と操作部本体把持部６１との相対的な移動を禁止しておく。
【００５８】
この状態で、自動穿刺アダプタ６０の操作部本体把持部６１を操作部本体３４に確実に固定し、また、スライダ把持部６２をスライダ３５の中途部に確実に固定する。
【００５９】
そして、自動穿刺するには、突出長さ設定板６７を押し込み、寸法決め用切り欠き部６４ａと突出長さ設定板６７の細径の長孔６７ｂとの係合を解除する。これにより、コイルスプリング６６の付勢力により板部材６５、及び、把持部固定軸部６４が移動され、スライダ３５も移動されて自動穿刺が実行される。
【００６０】
こうして、目的部位に穿刺ができた後は、自動穿刺アダプタ６０を取り外し、或いは、そのまま、前述した穿刺後の検査処理を行う。
【００６１】
このように、本発明の実施の第２形態によっても、前記第１形態と同様に、自動穿刺機能を持たない穿刺針装置３０に対し、簡単で小型の自動穿刺アダプタ６０を取り付けることにより自動穿刺機能を付与できるので、予め、自動穿刺機能を有する穿刺針装置を用意することも必要がなくコスト的に大変有利となる。
【００６２】
また、自動穿刺アダプタ６０は、簡単で小型な構成で実現できるため、コストも安く、動作も確実で信頼性も高い。
【００６３】
更に、自動穿刺する長さは、把持部固定軸部６４の寸法決め用切り欠き部６４ａと突出長さ設定板６７により選択的に設定できるので、検査における汎用性、利便性も高い。
【００６４】
また、自動穿刺機能を持たない穿刺針装置３０に自動穿刺機能を付与する際には、穿刺針装置３０を交換する等の作業が不要なため、検査の作業性を大幅に向上でき、検査も短時間で完了することが可能となる。
【００６５】
次に、図１１は本発明の実施の第３形態による、穿刺針装置に自動穿刺アダプタを取り付ける斜視図である。尚、本実施の第３形態は、自動穿刺アダプタの構成が前記第１形態の構成と異なり、従って、自動穿刺アダプタの構成のみ新たな符号を記し説明する。
【００６６】
すなわち、図１１において、符号８０は自動穿刺アダプタを示し、この自動穿刺アダプタ８０は、トーションばね８１と、このトーションばね８１の一端に設けた操作部本体３４を選択的に把持自在な操作部本体把持部８２と、トーションばね８１の他端に設けたスライダ３５を選択的に把持自在なスライダ把持部８３とを備えて主要に構成されている。
【００６７】
トーションばね８１の一端は、二股に形成されており、この二股部８１ａの先端に操作部本体把持部８２が固定されている。
【００６８】
また、トーションばね８１の他端は、二股部８１ａの間を挿通してガイドされるように略直角に屈曲され、更に、この屈曲部８１ｂの先端は、二股部８１ａと略平行になるように屈曲されて先端には、締め付けネジ８４を有するスライダ把持部８３が設けられている。
【００６９】
トーションばね８１の屈曲部８１ｂには、先端側が緩やかで、他端側が鋭角な鋸刃形状部８１ｃが形成されている。また、二股部８１ａの二股に分かれる基端の部分には、トーションばね８１に沿ってスライド自在で、先端が鋸刃形状部８１ｃに係入自在なスライド係止板８５がスライド自在に設けられている。
【００７０】
従って、本実施の第３形態による自動穿刺アダプタ８０は、トーションばね８１で付勢手段を構成し、操作部本体把持部８２で第１の固定手段を構成し、スライダ把持部８３で第２の固定手段を構成し、鋸刃形状部８１ｃ、及び、スライド係止板８５でトリガー手段を構成している。
【００７１】
このように構成される自動穿刺アダプタ８０を使用するには、まず、シース３１の先端から針管３２の先端を突出して自動穿刺させる寸法を決め、トーションばね８１の弾性力を発生している部分の側を狭める方向に力を加えて狭め、トーションばね８１の一端と他端を離間させて、操作部本体把持部８２とスライダ把持部８３とを離間させる。
【００７２】
そして、自動穿刺させる寸法に最も近い鋸刃形状部８１ｃのところでスライド係止板８５をスライドし、鋸刃形状部８１ｃにスライド係止板８５を係入して、スライダ把持部８３と操作部本体把持部８２との相対的な移動を禁止しておく。
【００７３】
この状態で、自動穿刺アダプタ８０の操作部本体把持部８２を操作部本体３４に確実に固定し、また、スライダ把持部８３を締め付けネジ８４を用いてスライダ３５の中途部に確実に固定する。
【００７４】
そして、自動穿刺するには、スライド係止板８５をスライド移動させ、鋸刃形状部８１ｃに対するスライド係止板８５の係入を解除する。これにより、トーションばね８１の付勢力により操作部本体把持部８２に対してスライダ把持部８３が近接する方向に移動され、スライダ３５も移動されて自動穿刺が実行される。
【００７５】
こうして、目的部位に穿刺ができた後は、自動穿刺アダプタ８０を取り外し、或いは、そのまま、前述した穿刺後の検査処理を行う。
【００７６】
このように、本発明の実施の第３形態によっても、前記第１形態と同様に、自動穿刺機能を持たない穿刺針装置３０に対し、簡単で小型の自動穿刺アダプタ８０を取り付けることにより自動穿刺機能を付与できるので、予め、自動穿刺機能を有する穿刺針装置を用意することも必要がなくコスト的に大変有利となる。
【００７７】
また、自動穿刺アダプタ８０は、簡単で小型な構成で実現できるため、コストも安く、動作も確実で信頼性も高い。
【００７８】
更に、自動穿刺する長さは、鋸刃形状部８１ｃ、及び、スライド係止板８５により選択的に設定できるので、検査における汎用性、利便性も高い。
【００７９】
また、自動穿刺機能を持たない穿刺針装置３０に自動穿刺機能を付与する際には、穿刺針装置３０を交換する等の作業が不要なため、検査の作業性を大幅に向上でき、検査も短時間で完了することが可能となる。
【００８０】
次に、図１２は本発明の実施の第４形態による、穿刺針装置に自動穿刺アダプタを取り付ける斜視図である。尚、本実施の第４形態は、前記第３形態における操作部本体把持部、スライダ把持部が交換自在とした点のみが異なり、他の同じ構成部分には同じ符号を記し、説明は省略する。
【００８１】
すなわち、図１２に示すように、穿刺針装置９０は、前記第１〜第３形態とは異なる場合もある。尚、図１２においては、符号９１がシース３１の基端側を支持する操作部本体であり、符号９２が操作部本体９１に対してスライド自在に配設され、針管３２を支持して針管３２と共に移動自在なスライダとなっている。
【００８２】
このような穿刺針装置９０では、操作部本体９１、及び、スライダ９２の外径は、前記第１〜第３形態の穿刺針装置３０とは異なる径となってしまう。このような穿刺針装置９０でも、拡く自動穿刺アダプタ１００を適用できるようにするため、操作部本体把持部１０１、スライダ把持部１０２は、トーションばね８１の先端に設けた、操作部本体把持部取り付け部１０３、スライダ把持部取り付け部１０４を介して交換取り付け自在となっている。
【００８３】
このように、操作部本体把持部、及び、スライダ把持部が交換可能であれば、様々な種類の穿刺針装置に適用でき、前記第３形態の効果に加え汎用性が高くなるという効果がある。尚、本実施の第４形態は、前記第３形態の操作部本体把持部、及び、スライダ把持部を交換可能として説明しているが、他の第１、第２形態に対しても適用できることは云うまでもない。
【図面の簡単な説明】
【００８４】
【図１】本発明の実施の第１形態による、穿刺針装置を取り付けた超音波内視鏡の概略構成図
【図２】同上、超音波内視鏡の先端部の構成を説明する斜視図
【図３】同上、穿刺針装置の全体構成を説明する断面図
【図４】同上、穿刺針装置に自動穿刺アダプタを取り付ける斜視図
【図５】同上、自動穿刺アダプタを備えた穿刺針装置を取り付けた超音波内視鏡の概略構成図
【図６】同上、自動穿刺前の自動穿刺アダプタ内部の構成を説明する断面図
【図７】同上、自動穿刺後の自動穿刺アダプタ内部の構成を説明する断面図
【図８】本発明の実施の第２形態による、穿刺針装置に自動穿刺アダプタを取り付ける斜視図
【図９】同上、把持部固定軸部の部分拡大図
【図１０】同上、突出長さ設定板の動作説明図
【図１１】本発明の実施の第３形態による、穿刺針装置に自動穿刺アダプタを取り付ける斜視図
【図１２】本発明の実施の第４形態による、穿刺針装置に自動穿刺アダプタを取り付ける斜視図
【符号の説明】
【００８５】
１    超音波内視鏡
２    挿入部
１５    処置具挿入口
１６    処置具挿通用チャンネル
３０    穿刺針装置
３１    シース
３２    針管
３３    シリンダ
３４    操作部本体
３５    スライダ
３６    スタイレット
４０    自動穿刺アダプタ
４１    シリンダ（第１の固定手段）
４２    ピストン（第２の固定手段）
４３    コイルスプリング（付勢手段）
４５    操作部本体把持部（第１の固定手段）
４６    ピストン端部（トリガー手段）
４６ａ  突起部
４７    ガイド溝（トリガー手段）
４７ａ  進退溝
４７ｂ  係止溝
４８    ピストンつまみ（トリガー手段）
４９    スライダ把持部（第２の固定手段）
代理人    弁理士    伊  藤    進
【図１】
2006000228.tif 000003
【図２】
2006000228.tif 000004
【図３】
2006000228.tif 000005
【図４】
2006000228.tif 000006
【図５】
2006000228.tif 000007
【図６】
2006000228.tif 000008
【図７】
2006000228.tif 000009
【図８】
2006000228.tif 000010
【図９】
2006000228.tif 000011
【図１０】
2006000228.tif 000012
【図１１】
2006000228.tif 000013
【図１２】
2006000228.tif 000014